【事件の表示】
　平成　４年特許願第１０８５２３号「ショットブラスト装置」拒絶査定に対する審判事件［平成　５年１０月２６日出願公開、特開平　５−２７７９４６］について、次のとおり審決する。
【結　論】
　本件審判の請求は、成り立たない。
【理　由】
　【１】 本件出願は、平成４年４月１日に出願されたものであり、その発明は、出願当初の明細書及び出願当初の図面の記載からみて、その特許請求の範囲に記載された次のとおりのものと認める。
　「【請求項１】　機枠と、この機枠の上部に取付けられた底面がホッパ―状のブラスト処理室を形成する開閉扉を有するブラスト処理ケ―ス体と、このブラスト処理ケ―ス体内に備えられたバリを除去する成型品を支持する支持具と、前記ブラスト処理ケ―ス体の上部に取付けられた前記支持具に支持されたバリを除去する成型品に投射材を投射する投射機と、前記ブラスト処理ケ―ス体の下部位置の前記機枠に取付けられた該ブラスト処理ケ―ス体より落下してくるバリ等のダストを含む投射材を少なくともダストと投射材とに選別する前記投射機と連動して作動する選別装置と、この選別装置で選別された投射材を前記投射機へ吸引供給させる投射材輸送管と、前記選別装置で選別されたバリ等のダストを収納する前記機枠に取付けられたダスト収納容器とからなることを特徴とするショットブラスト装置。
　【請求項２】　機枠と、この機枠の上部に取付けられた底面がホッパ―状のブラスト処理室を形成する開閉扉を有するブラスト処理ケ―ス体と、このブラスト処理ケ―ス体内に備えられたバリを除去する成型品を支持する支持具と、前記ブラスト処理ケ―ス体の上部に取付けられた前記支持具に支持されたバリを除去する成型品に投射材を投射する投射機と、前記ブラスト処理ケ―ス体の下部位置の前記機枠に取付けられた該ブラスト処理ケ―ス体より落下してくるバリ等のダストを含む投射材を少なくともダストと投射材とに選別する前記投射機と連動して作動する選別装置と、この選別装置で選別された投射材を前記投射機へ吸引供給させる投射材輸送管と、前記選別装置の投射材排出側に備えられた投射材の流量調整弁と、前記選別装置で選別されたバリ等のダストを収納する前記機枠に取付けられたダスト収納容器とからなることを特徴とするショットブラスト装置。
　【請求項３】　機枠と、この機枠の上部に取付けられた底面がホッパ―状のブラスト処理室を形成する開閉扉を有するブラスト処理ケ―ス体と、このブラスト処理ケ―ス体に回転可能に備えられたバリを除去する成型品が収納されたバスケットと、このバスケットを回転駆動させる前記機枠に取付けられたバスケット駆動装置と、前記ブラスト処理ケ―ス体の上部に取付けられた前記バスケット内に収納されたバリを除去する成型品に投射材を投射する投射機と、前記ブラスト処理ケ―ス体の下部位置の前記機枠に取付けられた該ブラスト処理ケ―ス体より落下してくるバリ等のダストを含む投射材を少なくともダストと投射材とに選別する前記投射機と連動して作動する選別装置と、この選別装置で選別された投射材を前記投射機へ吸引供給させる投射材輸送管と、前記選別装置で選別されたバリ等のダストを収納する前記機枠に取付けられたダスト収納容器とからなることを特徴とするショットブラスト装置。」
　【２】　原審の拒絶理由において、引用した本件出願の出願前に日本国内において頒布された刊行物である特開平３−２３４４７０号公報には次の発明が記載されている。
　機枠と、この機枠の上部に取付けられた底面がホッパ―状のブラスト処理室を形成する開閉扉を有するブラスト処理ケ―ス体と、このブラスト処理ケ―ス体内に備えられたバリを除去する成型品を支持する支持具と、前記ブラスト処理ケ―ス体の上部に取付けられた前記支持具に支持されたバリを除去する成型品に投射材を投射する投射機と、前記ブラスト処理ケ―ス体の下部位置の前記機枠に取付けられた該ブラスト処理ケ―ス体より落下してくるバリ等のダストを含む投射材を少なくともダストと投射材とに選別する前記投射機と選別装置と、この選別装置で選別された投射材を前記投射機へ吸引供給させる投射材輸送管と、前記選別装置で選別されたバリ等のダストを収納する前記機枠に取付けられたダスト収納容器とからなるショットブラスト装置。
　【３】　本件出願の請求項１に係る発明と引用例に記載された発明とを比較すると、機枠と、この機枠の上部に取付けられた底面がホッパ―状のブラスト処理室を形成する開閉扉を有するブラスト処理ケ―ス体と、このブラスト処理ケ―ス体内に備えられたバリを除去する成型品を支持する支持具と、前記ブラスト処理ケ―ス体の上部に取付けられた前記支持具に支持されたバリを除去する成型品に投射材を投射する投射機と、前記ブラスト処理ケ―ス体の下部位置の前記機枠に取付けられた該ブラスト処理ケ―ス体より落下してくるバリ等のダストを含む投射材を少なくともダストと投射材とに選別する前記投射機と選別装置と、この選別装置で選別された投射材を前記投射機へ吸引供給させる投射材輸送管と、前記選別装置で選別されたバリ等のダストを収納する前記機枠に取付けられたダスト収納容器とからなるショットブラスト装置である点で一致し、次の点においてのみ相違する。
　相違点：選別装置について、本件出願の請求項１に係る発明が、投射機と連動して作動するものとしているのに対して、引用例には、この点が記載されていない点。
　そこで、前記相違点について検討する。
　本件出願の請求項１に記載された発明における「投射機と連動して作動する選別装置」について、明細書には次の記載がある。
　段落【０００３】の「従来のショットブラスト装置は、投射機の作動と選別装置の作動とを別々に行なわなければならないためその操作が面倒であるとともに、熟練者でないと選別装置のＯＮ、ＯＦＦ作動を効率よくできないという欠点があった。」、段落【００２１】の「しかる後、スイッチ４２をＯＮ状態にし、バスケット支持装置１８のモ―タ―２１、投射機２３および選別装置２７の振動機３２を同時に駆動させる。」及び段落【００２９】の「投射機と選別装置とを同時にＯＮ、ＯＦＦさせることができる。
　したがって、従来のように投射機のＯＮ、ＯＦＦや選別装置のＯＮ、ＯＦＦ操作を別々に行なうものに比べ、楽に行なうことができる。」
　また、概略回路図である第３図には、並列に接続された投射機２３と選別機２７とが一つのスイッチ４２に直列に接続されていることが記載されている
　前記の記載からすると、前記した「投射機と連動して作動する選別装置」とは、一つのスイッチを操作することにより、投射機と選別装置とが作動するものであることを意味するものであるとすることができる。
　そして、多数の駆動手段を具備した表面処理装置等において、一つのスイッチを操作することにより多数の駆動手段を駆動するごとくしたことは、例を引くまでもなく、本件出願前において周知慣用の技術であり、投射機及び選別装置を具備したショットブラスト装置にこのようなものを適用したところで、当業者が当然に予測できる機能を奏するにすぎないから、前記相違点において掲げた本件出願の請求項１に係る発明の構成のごとくすることは、当業者が容易に想到することができたものである。
　【４】　以上のとおりであるから、本件出願の請求項１に係る発明は、引用例に記載された発明及び本件出願前における周知慣用の技術に基づいて当業者が容易に発明をすることができたものであるから、特許法第２９条第２項の規定により特許を受けることができない。
　そして、本件出願は、本件出願の請求項１に係る発明が特許を受けることができない以上、本件出願の請求項２及び請求項３に係る発明について改めて論及するまでもなく拒絶すべきものである。
  よって、結論のとおり審決する。